(57)【要約】【課題】排尿のため紙おむつが濡れる回数及び紙おむつの使用状態を随時把握することができるスマート紙おむつを提供する。【解決手段】本考案は、防水層及び吸水層を含むスマート紙おむつである。防水層に、マルチバイブレータ検出回路１、電源制御回路２、近距離無線通信モジュール５及びワンチップマイコンモジュール４が敷設される。マルチバイブレータ検出回路１は、電源制御回路２及びワンチップマイコンモジュール４に接続され、ワンチップマイコンモジュール４は、近距離無線通信モジュール５に接続され、電源制御回路２は、ワンチップマイコンモジュール４に接続されて、マルチバイブレータ検出回路１と、ワンチップマイコンモジュール４と近距離無線通信モジュール５に給電する。近距離無線通信モジュール５は、それが受信したデータ情報を外部に送信し、吸水層内に電極Ｊ１が敷設され、電極Ｊ１はマルチイブレータ検出回路１に接続される。【選択図】図1
0003214193.tif 000002
【実用新案登録請求の範囲】
【請求項１】
防水層及び吸水層を含むスマート紙おむつであって、
前記吸水層は、ねじによって前記防水層に密着され、
前記防水層には、マルチバイブレータ検出回路と、電源制御回路と、近距離無線通信モジュールと、ワンチップマイコンモジュールとが敷設され、
前記マルチバイブレータ検出回路は、前記電源制御回路及び前記ワンチップマイコンモジュールに接続されて紙おむつの使用状態を検知し、
前記ワンチップマイコンモジュールは、前記近距離無線通信モジュールに接続されて、前記近距離無線通信モジュールに、前記マルチバイブレータ検出回路が発振を停止する回数を伝送し、
前記電源制御回路は、前記ワンチップマイコンモジュールに接続されて、前記マルチバイブレータ検出回路と、前記ワンチップマイコンモジュールと、前記近距離無線通信モジュールとに給電し、
前記近距離無線通信モジュールは、それが受信したデータ情報を外部に送信し、
前記吸水層内に電極が敷設され、前記電極が前記マルチバイブレータ検出回路に接続されることを特徴とする、スマート紙おむつ。
【請求項２】
前記電極は、第１の電極及び第２の電極を含むことを特徴とする、請求項１に記載のスマート紙おむつ。
【請求項３】
前記マルチバイブレータ検出回路は発振器を含み、
前記発振器の第１のピンが接地され、第２のピンが前記第２の電極に接続され、第３のピンが第２の抵抗に接続され、第４のピンが第３の抵抗に接続され、第５のピンが第３のキャパシタに接続され、第６のピンが前記第２の電極に接続され、第７のピンが前記第３の抵抗及び第４の抵抗に接続され、第８のピンが前記第３の抵抗に接続されており、
前記第２の抵抗は、前記ワンチップマイコンモジュールに接続され、
前記第３の抵抗は、前記第４の抵抗と前記発振器の前記第４のピンとに接続され、
前記第４の抵抗は、第４のキャパシタの正極に接続され、
前記第３のキャパシタは、前記発振器の前記第１のピンに接続され、
前記第４のキャパシタの負極は、前記発振器の前記第１のピンに接続されることを特徴とする、請求項２に記載のスマート紙おむつ。
【請求項４】
前記電源制御回路はトランジスタを含み、
前記トランジスタのベース電極が、第１の抵抗に接続され、
前記トランジスタのコレクタ電極が、電源に接続され、
前記トランジスタのエミッタ電極が、第１のキャパシタの正極と、第２のキャパシタと、前記発振器の前記第４のピンと、前記発振器の前記第８のピンと、前記第３の抵抗とに接続され、
前記第１のキャパシタの負極が接地され、
前記第２のキャパシタが接地され、
前記第１の抵抗は前記ワンチップマイコンモジュールに接続され、
前記電源は前記トランジスタに給電することを特徴とする、請求項３に記載のスマート紙おむつ。
【請求項５】
前記発振器は、８つのピンを有するタイマーＩＣである請求項３又は請求項４に記載のスマート紙おむつ。
【考案の詳細な説明】
【技術分野】
【０００１】
本考案は、吸収パッド分野に関し、特にスマート紙おむつに関するものである。
【背景技術】
【０００２】
従来の紙おむつは、ほとんど使い捨てタイプであるため、通常は、浪費を避けたくて、尿に濡れても即時交換しない。また、交換すべき状態であったが、それに気が付くのはずいぶん後になることがある。そのため、紙おむつに排尿検出用の変色ストリップを設けても、紙おむつを適切な時期に交換できない。紙おむつが過度に濡れた場合、臀部が尿に長時間浸ると、尿が紙おむつから滲出しやすくなるばかりか、臀部に皮疹、湿疹などの皮膚疾患が発生して健康を損ない、身体の一部に不快感を覚えることがよくある。
【考案の概要】
【考案が解決しようとする課題】
【０００３】
本考案は、排尿のため紙おむつが濡れる回数及び紙おむつの使用状態を随時把握することができるスマート紙おむつを提供することを目的とする。
【課題を解決するための手段】
【０００４】
本考案は、防水層及び吸水層を含むスマート紙おむつである。前記吸水層は、ねじによって前記防水層に密着される。前記防水層に、マルチバイブレータ検出回路と、電源制御回路と、ワンチップマイコンモジュールと、近距離無線通信モジュールとが敷設される。前記マルチバイブレータ検出回路は、前記電源制御回路及び前記ワンチップマイコンモジュールに接続されて紙おむつの使用状態を検知する。前記ワンチップマイコンモジュールは、前記近距離無線通信モジュールに接続されて、前記近距離無線通信モジュールに、前記マルチバイブレータ検出回路が発振を停止する回数を伝送する。前記電源制御回路は、前記ワンチップマイコンモジュールに接続されて、前記マルチバイブレータ検出回路と、前記ワンチップマイコンモジュールと、前記近距離無線通信モジュールとに給電する。前記近距離無線通信モジュールは、それが受信したデータ情報を外部に送信する。前記吸水層内に電極が敷設され、前記電極は前記マルチバイブレータ検出回路に接続される。
【０００５】
マルチバイブレータ回路の検出結果から、大小便をするたびに、前記マルチバイブレータ検出回路が発振を停止することがわかる。よって、前記ワンチップマイコンモジュールによって前記マルチバイブレータ検出回路が発振を停止する回数を記録すれば、大小便をする回数を知ることができ、また、前記近距離無線通信モジュールを介して、データを保護者の携帯電話上のアプリに伝送することで、紙おむつのその時の使用状態を確認させ、紙おむつの交換を催促することができる。
【図面の簡単な説明】
【０００６】
【図１】本考案の回路図である。
【考案を実施するための形態】
【０００７】
以下、図面を踏まえて、本考案の好適な実施例について詳細に説明する。
【０００８】
本考案は、防水層及び吸水層を含むスマート紙おむつである。前記吸水層は、ねじによって前記防水層に密着される。前記防水層に、マルチバイブレータ検出回路１と、電源制御回路２と、ワンチップマイコンモジュール４と、近距離無線通信モジュール５とが敷設される。前記マルチバイブレータ検出回路１は、前記電源制御回路２及び前記ワンチップマイコンモジュール４に接続されて、紙おむつの使用状態を検知する。前記ワンチップマイコンモジュール４は、前記近距離無線通信モジュール５に接続されて、前記近距離無線通信モジュール５に、前記マルチバイブレータ検出回路１が発振を停止する回数を伝送する。前記電源制御回路２は、前記ワンチップマイコンモジュール４に接続されて、前記マルチバイブレータ検出回路１と、前記ワンチップマイコンモジュール４と、前記近距離無線通信モジュール５とに給電する。前記近距離無線通信モジュール５は、それが受信したデータ情報を外部に送信する。
【０００９】
前記吸水層内に電極Ｊ１が敷設され、前記電極Ｊ１は前記マルチバイブレータ検出回路１に接続される。前記電極Ｊ１は、第１の電極及び第２の電極を含む。
【００１０】
前記マルチバイブレータ検出回路１は８つのピンを有するタイマーＩＣである発振器３（例えば、型番ＬＭ５５５）を含み、前記発振器３の第１のピン（ＧＮＤ端子）が接地される。前記発振器３の第２のピン（トリガ端子、ＴＲＩＧＧＥＲ）が前記第２の電極に接続される。前記発振器３の第３のピン（出力端子、ＯＵＴＰＵＴ）が第２の抵抗Ｒ２に接続される。前記発振器３の第４のピン（リセット端子、ＲＥＳＥＴ）が第３の抵抗Ｒ３に接続される。前記発振器３の第５のピン（コントロール電圧端子、ＣＯＮＴＲＯＬ  ＶＯＬＴＡＧＥ）が第３のキャパシタＣ３に接続される。前記発振器３の第６のピン（スレッショルド端子、ＴＨＲＥＳＨＯＬＤ）が前記第２の電極に接続される。前記発振器３の第７のピン（放電端子、ＤＩＳＣＨＡＲＧＥ）が前記第３の抵抗Ｒ３及び第４の抵抗Ｒ４に接続される。前記発振器３の第８のピン（ＶＣＣ端子）が前記第３の抵抗Ｒ３に接続される。
【００１１】
また、前記第２の抵抗Ｒ２は、前記ワンチップマイコンモジュール４に接続される。前記第３の抵抗Ｒ３は、前記第４の抵抗Ｒ４及び前記発振器３の前記第４のピンに接続される。前記第４の抵抗Ｒ４は、第４のキャパシタＣ４の正極に接続される。前記第３のキャパシタＣ３は、前記発振器３の第１のピンに接続される。前記第４のキャパシタＣ４の負極は、前記発振器３の前記第１のピンに接続される。
【００１２】
また、前記電源制御回路２は、トランジスタＱ１（例えば、型番Ｓ８０５０）を含む。前記トランジスタＱ１のベース電極が、第１の抵抗Ｒ１に接続される。前記トランジスタＱ１のコレクタ電極が電源ＶＣＣに接続される。前記トランジスタＱ１のエミッタ電極が第１のキャパシタＣ１の正極と、第２のキャパシタＣ２と、前記発振器３の前記第４のピンと、前記発振器３の前記第８のピンと、前記第３の抵抗Ｒ３とに接続される。前記第１のキャパシタＣ１の負極は接地され、前記第２のキャパシタＣ２は接地される。前記第１の抵抗Ｒ１は前記ワンチップマイコンモジュール４に接続される。前記電源ＶＣＣは前記トランジスタＱ１に給電する。
【００１３】
なお、前記防水層は繰り返し使用できるが、前記吸水層は使い捨てタイプで、交換する必要がある。
【００１４】
前記電極Ｊ１の前記第１の電極及び前記第２の電極は、いずれもアルミニウム箔電極であり、尿が流動したら、前記第１の電極と前記第２の電極は、キャパシタ（尿がなくても容量が非常に小さいキャパシタ）を形成し、且つ前記第４のキャパシタＣ４と並列関係になる。前記マルチバイブレータ検出回路１は、前記第１の電極と前記第２の電極が形成した前記キャパシタの状態を検出し、スマート紙おむつが乾燥した状態では、固定周波数の波形を出力し、前記ワンチップマイコンモジュール４は、前記固定周波数を検出することができる。一方、スマート紙おむつが濡れた状態では、前記第１の電極と前記第２の電極が形成したキャパシタの容量が非常に大きくなり、前記マルチバイブレータ検出回路１のキャパシタの充放電状況が変化し、発振器３の第３のピンはハイレベル出力状態になる。紙おむつ上の尿が徐々に吸收されてなくなると、前記第１の電極と前記第２の電極が形成したキャパシタは、紙おむつが乾燥した時の状態に回復し、前記マルチバイブレータ検出回路１は、再びデフォルトの発振出力状態に回復する。スマート紙おむつが濡れて、発振が停止することを検知するたびに、１回の大小便として記録し、発振状態がデフォルトの発信出力状態に回復すると、準備状態になる。大小便を検知するたびに、前記ワンチップマイコンモジュール４に接続される前記近距離無線通信モジュール５を介して、データを送信する。
【００１５】
前記マルチバイブレータ検出回路１の動作過程は以下のとおりである。
【００１６】
電源を投入すると、前記電源ＶＣＣは、前記第３の抵抗Ｒ３及び前記第４の抵抗Ｒ４を介して、前記第４のキャパシタＣ４を充電する。前記第４のキャパシタＣ４の電圧Ｕｃが１／３ＶＣＣ未満になると、前記発振器３の出力端子がハイレベル電圧を出力し、前記第４のキャパシタＣ４は電圧Ｕｃが２／３ＶＣＣ以上になるまで充電されると、前記発振器３の出力端子がローレベル電圧を出力する。このとき、前記第７のピン（すなわち放電端子）が接地されて、前記第４のキャパシタＣ４は、前記第４の抵抗Ｒ４を介して放電し、Ｕｃを降下させる。Ｕｃが１／３ＶＣＣ以下まで降下すると、前記発振器３の出力端子は反転してハイレベルとなる。このとき、前記第７のピン（放電端子）が接地されず、前記電源ＶＣＣは前記第３の抵抗Ｒ３及び前記第４の抵抗Ｒ４を介して、前記第４のキャパシタＣ４を充電し、Ｕｃが１／３ＶＣＣから２／３ＶＣＣまで上昇すると、前記発振器３の出力端子はまた反転する。このように繰り返すことで、前記発振器３の出力端子にて連続的に変化するパルス発振波形を得ることができる。パルス幅ＴＬは０．７Ｒ２Ｃにほぼ等しく、前記第４のキャパシタＣ４の放電時間により決められる。ＴＨ(第６のピンへの入力値）は、０．７（Ｒ３＋Ｒ４）Ｃであり、前記第４のキャパシタＣ４の充電時間により決められる。パルス周期ＴはＴＨ＋ＴＬにほぼ等しい。
【００１７】
以上から、本考案は、以下の効果を有することがわかる。前記マルチバイブレータ検出回路の検出結果から、大小便をするたびに、前記マルチバイブレータ検出回路が発振を停止することがわかる。よって、前記ワンチップマイコンモジュールによって前記マルチバイブレータ検出回路が発振を停止する回数を記録すれば、大小便をする回数を知ることができる。また、前記近距離無線通信モジュールを介して、データ（大小便をする回数）を保護者の携帯電話上のアプリに伝送することで、紙おむつのその時の使用状態を確認させ、紙おむつの交換を催促することができる。
【符号の説明】
【００１８】
１…マルチバイブレータ検出回路、２…電源制御回路、３…発振器、４…ワンチップマイコンモジュール、５…近距離無線通信モジュール、Ｃ１…第１のキャパシタ、Ｃ２…第２のキャパシタ、Ｃ３…第３のキャパシタ、Ｃ４…第４のキャパシタ、Ｊ１…電極、Ｑ１…トランジスタ、Ｒ１…第１の抵抗、Ｒ２…第２の抵抗、Ｒ３…第３の抵抗、Ｒ４…第４の抵抗、ＶＣＣ…電源。
【図１】
0003214193.tif 000003